(57)【要約】      （修正有）【課題】肩ベルトを締める際に簡単に最適な締め付け具合に調節することのできるリュックサックを提供する。【解決手段】肩ベルト３は、リュックサック本体の上部にその上端が取り付けられたベルト本体４と、リュックサック本体の下部２２にその下端が取り付けられた調節ベルト５と、ベルト本体４と調節ベルト５とを連結する連結具６と、を備えており、調節ベルト５には、その前記下端と連結具６との間に、連結具６と衝合するベルトストッパー７が、調節ベルト５に摺動及び固定可能に配設されている。【選択図】図１
0003208913.tif 000002
【実用新案登録請求の範囲】
【請求項１】
リュックサック本体と、該リュックサック本体に設けられた一対の肩ベルトと、を有するリュックサックであって、
前記肩ベルトは、
前記リュックサック本体の上部にその上端が取り付けられたベルト本体と、
前記リュックサック本体の下部にその下端が取り付けられた調節ベルトと、
前記ベルト本体と前記調節ベルトとを連結する連結具と、を備えており、
前記調節ベルトには、その前記下端と前記連結具との間に、該連結具と衝合するベルトストッパーが、該調節ベルトに摺動及び固定可能に配設されたことを特徴とするリュックサック。
【考案の詳細な説明】
【技術分野】
【０００１】
本考案は、肩ベルトの締め付け具合を調節するベルトストッパーを備えるリュックサックに関する。
【背景技術】
【０００２】
リュックサックを背負う際、肩ベルトの長さを使用者の体格に合わせて調節することは重要な要素である。つまり、肩ベルトの長さを短くしすぎると体への締付が強くなり、またそれとは逆に肩ベルトの長さを長くしてしまうと、リュックサック本体が携行中に揺れて肩ベルトが使用者の肩にこすれて痛みを感じたり、余計に疲労したりする。そのため、リュックサックを背負う際には、肩ベルトを締め付けすぎずかつ緩みすぎることのない程度にその長さを調節する必要がある。
【０００３】
図６（ａ）は、従来のリュックサックを使用者が背負った際の模式図である。図６（ｂ）は、図６（ａ）に示すリュックサックの調節ベルトを短く調節する際の模式図である。なお、この種の従来のリュックサックの周知例としては、例えば特許文献１の第２図に開示されたものが挙げられる。
【０００４】
一般的にリュックサック１０１は、図６（ａ）及び（ｂ）で示すように、リュックサック本体１０２と、該リュックサック本体１０２に設けられた一対の肩ベルト１０３（片側のみ図示）とを有している。肩ベルト１０３は、リュックサック本体１０２の上部１２１にその上端が取り付けられたベルト本体１０４と、リュックサック本体１０２の下部１２２にその下端が取り付けられた調節ベルト１０５と、これらベルト本体１０４と調節ベルト１０５とを連結する連結具１０６と、を備えている。
【０００５】
上記のような構成のリュックサック１０１の肩ベルト１０３の長さは、調節ベルト１０５の、連結具１０６より後側部分１０５ｂの長さを調節することで行うことができる。具体的には、リュックサック１０１を使用者Ｂが背負う際には、肩ベルト１０３に腕が通し易いように、連結具１０６を操作して調節ベルト１０５の後側部分１０５ｂを長くすることで、肩ベルト１０３全体の長さを長くしておき、その状態で肩ベルト１０３に腕を通してリュックサック本体１０２を背負ったのち、調節ベルト１０５の前側部分１０５ａを前方に引き出し、肩ベルト１０３とリュックサック本体１０２とがちょうどよい具合に体に沿うようにする。また、リュックサック本体１０２を下ろすときは、上記と同様に調節ベルト１０５の後側部分１０５ｂを長くしてから肩ベルト１０３より腕を抜く。なお、連結具１０６は、調節ベルト１０５の前方への引き出しに対してはこれを制限しないが、その逆に対しては調節ベルト１０５を拘束するものである。
【先行技術文献】
【特許文献】
【０００６】
【特許文献１】実公平３−１２２５２号公報
【考案の概要】
【考案が解決しようとする課題】
【０００７】
しかしながら、上記従来のリュックサックにあっては、背負う際、毎回肩ベルトのこまめな長さ調節を行うことは、使用者にとって煩雑であった。また、肩ベルトの長さ調節は、調節ベルトを引っ張るだけであるため、調節ベルトを引きすぎたり、引き足らなかったりして、毎回肩ベルトを使用者にとって最適な一定の長さに調節することが容易ではなかった。特に、連結具が、調節ベルトの前方への引き出しに対してはこれを制限しないが、その逆に対しては調節ベルトを拘束するタイプのものであると、調節ベルトを引きすぎた場合、連結具が脇腹あたりにありその操作に無理な姿勢を強要されることになることから、適正な長さに調整し直すことが極めて煩瑣であった。
【０００８】
本考案は上記のような課題に鑑みてなされたものであり、肩ベルトの長さを簡単に常に最適な締め付け具合に調節することのできるリュックサックを提供することにある。
【課題を解決するための手段】
【０００９】
上記課題を解決するために、本考案は次のとおりの構成としている。
【００１０】
本考案のリュックサックは、リュックサック本体と、該リュックサック本体に設けられた一対の肩ベルトと、を有するリュックサックであって、前記肩ベルトは、前記リュックサック本体の上部にその上端が取り付けられたベルト本体と、前記リュックサック本体の下部にその下端が取り付けられた調節ベルトと、前記ベルト本体と前記調節ベルトとを連結する連結具と、を備えており、前記調節ベルトには、その前記下端と前記連結具との間に、該連結具と衝合するベルトストッパーが、該調節ベルトに摺動及び固定可能に配設されたことを特徴としている。
【００１１】
上記構成によれば、リュックサックを背負ったとき、一度調節ベルトを最適な長さに調節した後、該調節ベルトに配設されているベルトストッパーを摺動させて連結具に衝合させることで、調節ベルトの最適な長さが決定されるので、それ以降にリュックサックを背負った際に、ベルトストッパーが連結具に衝合する位置まで調節ベルトの前側部分を引くだけで、簡単に肩ベルトの長さを最適な状態に合わせることができる。
【考案の効果】
【００１２】
本考案によれば、肩ベルトの長さを簡単に常に最適な締め付け具合に調節することのできるリュックサックを提供することができる。
【図面の簡単な説明】
【００１３】
【図１】本実施形態に係るリュックサックの肩ベルトの部分斜視図である。
【図２】図１に示すリュックサックの調節ベルトを短く調節した際の部分斜視図である。
【図３】図１に示すリュックサックのベルトストッパーを示す部分拡大図である。
【図４】図３に示すリュックサックのベルトストッパーの、ＩＶ−ＩＶ線に沿った断面図である。
【図５】図５（ａ）は、図１に示すリュックサックを使用者が背負った際の模式図、図５（ｂ）は、図５（ａ）に示すリュックサックの調節ベルトを短く調節する際の模式図である。
【図６】図６（ａ）は、従来のリュックサックを使用者が背負った際の模式図、図６（ｂ）は、図６（ａ）に示すリュックサックの調節ベルトを短く調節する際の模式図である。
【考案を実施するための形態】
【００１４】
以下、本考案に係るリュックサックの実施形態について、図面に基づいて詳しく説明する。
【００１５】
なお、以下の説明における前（表）後は、特に言及しない限り、肩ベルトが設けられており使用者が背負う側を前（表）側、その反対側を後側とする。また上下も同じく使用者が背負ったときの方向に準ずる。
【００１６】
図１は、本実施形態に係るリュックサックの肩ベルトの部分斜視図である。図２は、図１に示すリュックサックの調節ベルトを短く調節した際の部分斜視図である。図３は、図１に示すリュックサックのベルトストッパーを示す部分拡大図である。図４は、図３に示すリュックサックのベルトストッパーの、ＩＶ−ＩＶ線に沿った断面図である。図５（ａ）は、図１に示すリュックサックを使用者が背負った際の模式図である。図５（ｂ）は、図５（ａ）に示すリュックサックの調節ベルトを短く調節する際の模式図である。
【００１７】
−本実施形態に係るリュックサック１の構成−
本実施形態に係るリュックサック１は、図１、２及び５に示すように、荷物等を収納するリュックサック本体２と、該リュックサック本体２に設けられた一対の肩ベルト３（片側のみ図示）とを有している。
【００１８】
肩ベルト３は、リュックサック本体２の上部２１にその上端が取り付けられたベルト本体４と、リュックサック本体２の下部２２にその下端が取り付けられた調節ベルト５と、ベルト本体４と調節ベルト５とを連結する連結具６と、を備えている。
【００１９】
ベルト本体４は、使用者Ａの肩に当接するクッションパッド部４０と、該クッションパッド部４０の表面側に縫着され、その下端部が連結具６に連結されている連結ベルト４１と、から構成されている。また連結ベルト４１の中間部には、カメラ等様々な道具を吊るすことのできる多目的連結環４２が設けられている。
【００２０】
調節ベルト５は、連結具６に連通されるとともにこの連結具６で折り返されており、連結具６から前方に垂れ下る前側部分５ａと、リュックサック１の下部２２との接続部分から連結具６までの後側部分５ｂとに分かれている。また調節ベルト５の折返し部分には、上記連結ベルト４１に設けられたものと同じ多目的連結環６１が連通されている。また、調節ベルト５の後側部分５ｂには、当該後側部分５ｂに対して自在に摺動、固定されるベルトストッパー７が配設されている。
【００２１】
ベルトストッパー７は、図３及び４に示すように、側面から見ると扁平でやや山なりに形成された側枠部７１,７１と、該側枠部７１,７１をその左右両端部分同士を繋ぐ連結部７２,７２と、該側枠部７１,７１の中央部同士を繋ぐ、断面が略楕円形の棒状体であるベルト折曲部７３と、を備えている。
【００２２】
調節ベルト５の後側部分５ｂは、ベルトストッパー７の裏側から連結部７２とベルト折曲部７３の間を通って表側に抜け、該ベルト折曲部７３で折り返されることでベルト折曲部７３ともう片方の連結部７２との間を通って再度裏側に抜けている。これにより調節ベルト５の後側部分５ｂが深い角度をつけて折り曲げられることでベルトストッパー７と強く密接するため、該ベルトストッパー７は調節ベルト５の後側部分５ｂに対し強い摩擦力を発揮する。また、連結部７２,７２とベルト折曲部７３の、調節ベルト５の後側部分５ｂと当接する部位には、鋸歯状の突起からなる端部滑り止め部７２ａ,７２ａ及び中央滑り止め部７３ａがそれぞれ設けられており、ベルトストッパー７の調節ベルト５の後側部分５ｂに対する摩擦力が増加するように図られている。
【００２３】
上記のように構成されるリュックサック１は、上述した従来のリュックサック１０１と同様に、連結具６で折返された調節ベルト５の前側部分５ａと後側部分５ｂの長さの配分を調節することで肩ベルト３の締め付けを強めたり、弱めたりすることができる。
【００２４】
−本実施形態に係るリュックサック１のベルトストッパー７の使用方法−
本実施形態に係るリュックサック１のベルトストッパー７を使用者Ａが使用する際には、まず一度リュックサック１を背負い、肩ベルト３の締め付けが最適になるように調節ベルト５の後側部分５ｂの長さを調節する。その際、ベルトストッパー７はリュックサック本体１０２側に寄せておき、連結具６と衝合しないようにしておく。
【００２５】
次に、図２に示すように、ベルトストッパー７を連結具６に衝合するまで摺動させ、この位置で固定する。
【００２６】
その後リュックサック１を下ろすために肩ベルト３の締め付けを緩めても、図１や図５（ａ）で示すように、ベルトストッパー７と連結具６の位置は相対的に遠ざかるものの、調節ベルト上におけるベルトストッパー７の位置が変わることはない。
【００２７】
上記のようにして一度最適な位置にベルトストッパー７を固定した後は、リュックサック１を再度背負って調節ベルト５の前側部分５ａを引っ張ると、図５（ｂ）で示すように、調節ベルト５の長さが最適になるときにベルトストッパー７が連結具６に衝突し、それ以上調節ベルト５を引っ張れなくなるため、使用者Ａは常に簡単に肩ベルト３の締め付け具合を最適な状態に調節することができる。
【００２８】
このとき、ベルトストッパー７の調節ベルト５に対する摩擦力が、連結具６の調節ベルト５に対する摩擦力より弱いと、ベルトストッパー７が連結具６に衝突した際に該ベルトストッパー７の調節ベルト５上における位置がずれてしまう虞があるため、ベルトストッパー７の調節ベルト５に対する摩擦力は連結具６よりも大きいことが望ましい。
【００２９】
−その他の実施形態−
本考案は、上記実施形態に限定されず、その精神又は主要な特徴から逸脱することなく他の様々な形で実施することができる。
【００３０】
例えば、上記実施形態において、ベルトストッパー７は調節ベルト５の後側部分５ｂを深い角度をつけて折り曲げつつ連通させることで、当該調節ベルト５に対し強い摩擦力を発揮し、固定されているが、例えば、クリップのような挟み部材であってもよく、調節ベルト５を強く挟み込むことで固定されるものであってもよい。
【符号の説明】
【００３１】
１    リュックサック
２    リュックサック本体
３    肩ベルト
４    ベルト本体
５    調節ベルト
６    連結具
７    ベルトストッパー
２１  リュックサック本体の上部
２２  リュックサック本体の下部
【図１】
0003208913.tif 000003
【図２】
0003208913.tif 000004
【図３】
0003208913.tif 000005
【図４】
0003208913.tif 000006
【図５】
0003208913.tif 000007
【図６】
0003208913.tif 000008